【手続補正書】
【提出日】平成26年10月14日(2014.10.14)
【手続補正１】
【補正対象書類名】特許請求の範囲
【補正対象項目名】全文
【補正方法】変更
【補正の内容】
【特許請求の範囲】
【請求項１】
方法であって、
混合通信ネットワークに関連付けられたネットワーク鍵を受信することと、ここで、前記混合通信ネットワークは、第１のネットワーク通信プロトコルおよび第２のネットワーク通信プロトコルに関連付けられている、
第１のデバイスにおいて、前記混合通信ネットワークの前記第１のネットワーク通信プロトコルとともに用いられるための第１のプロトコル特有鍵を生成することと、ここで、前記第１のプロトコル特有鍵は、前記第１のネットワーク通信プロトコルに対応する第１の識別子および前記ネットワーク鍵に少なくとも一部基づく、
前記第１のプロトコル特有鍵を用いて、前記第１のネットワーク通信プロトコルで、前記混合通信ネットワークにおける第２のデバイスと通信することと、
を備える方法。
【請求項２】
前記第１のプロトコル特有鍵は、前記第１のネットワーク通信プロトコルによる通信の暗号化のために用いられ、
前記第１のプロトコル特有鍵は、前記第１の識別子および前記ネットワーク鍵を含むハッシュ演算の結果に少なくとも一部基づいて生成される、請求項１に記載の方法。
【請求項３】
前記第１のプロトコル特有鍵を生成することは、
前記第１のプロトコル特有鍵を生成するために、前記ハッシュ演算の結果を切り詰めること、
前記ハッシュ演算の結果よりも長い第１のプロトコル特有鍵を生成するために、前記ハッシュ演算の結果を複製すること、または、
前記第１のプロトコル特有鍵を生成するために、前記ハッシュ演算の結果を、さらなる値と組み合わせること、
のうちの１つを含む、請求項２に記載の方法。
【請求項４】
前記第１のプロトコル特有鍵を生成することは、ハッシュ演算の結果の最下位ｎビットを含むように、前記第１の識別子と前記ネットワーク鍵との間に前記ハッシュ演算の結果を切り詰めることを含む、請求項１に記載の方法。
【請求項５】
前記混合通信ネットワークの第２のネットワーク通信プロトコルに関連付けられた第２のプロトコル特有鍵を生成することと、ここで、前記第２のプロトコル特有鍵は、前記第２のネットワーク通信プロトコルに対応する第２の識別子および前記ネットワーク鍵に少なくとも一部基づく、
前記第２のプロトコル特有鍵を用いて、前記第２のネットワーク通信プロトコルによって、第３のデバイスと通信することと、ここで、前記第１のプロトコル特有鍵は前記第２のプロトコル特有鍵と異なる、
をさらに備える請求項１に記載の方法。
【請求項６】
複数のネットワーク通信プロトコルに対応する複数のプロトコル特有鍵を前記第１のデバイスにおいて格納することをさらに備え、
前記複数のプロトコル特有鍵は、少なくとも、前記第１のプロトコル特有鍵および前記第２のプロトコル特有鍵を含む、請求項５に記載の方法。
【請求項７】
前記第１のネットワーク通信プロトコルは、イーサネット、マルチメディア・オーバ・コアキシャル（ＭｏＣＡ）、ＩＥＥＥ  １９０１、送電線通信、または無線ローカル・エリア・ネットワーク（ＷＬＡＮ）のうちの１つであり、
前記第２のネットワーク通信プロトコルは、前記第１のネットワーク通信プロトコルと異なる、請求項１に記載の方法。
【請求項８】
前記第１のネットワーク通信プロトコルに対応する前記第１の識別子は、前記第１のネットワーク通信プロトコルをユニークに識別する英数字ラベルを備える、請求項１に記載の方法。
【請求項９】
前記混合通信ネットワークにおいて用いられる複数のネットワーク通信プロトコルに対応する識別子を、前記第１のデバイスのメモリに格納することをさらに備え、
前記複数のネットワーク通信プロトコルは、少なくとも、前記第１のネットワーク通信プロトコルおよび前記第２のネットワーク通信プロトコルを含む、請求項１に記載の方法。
【請求項１０】
新たなネットワーク通信プロトコルに対応する新たな識別子を、前記第１のデバイスのメモリに追加することと、
前記新たなネットワーク通信プロトコルのために、前記新たなネットワーク通信プロトコルに対応する前記新たな識別子および前記ネットワーク鍵に少なくとも一部基づいて、新たなプロトコル特有鍵を生成することと、
前記新たなプロトコル特有鍵を用いて、前記新たなネットワーク通信プロトコルによって、他のデバイスと通信することと、
をさらに備える請求項９に記載の方法。
【請求項１１】
前記ネットワーク鍵を前記第１のデバイスのメモリに格納すること、
をさらに備える請求項１に記載の方法。
【請求項１２】
前記ネットワーク鍵は、
前記第１のデバイスのユーザ・インタフェース、
前記第１のデバイスのセンサ、または、
前記第１のネットワーク通信プロトコルとは異なる、異なるネットワーク通信プロトコルのために構成された前記第１のデバイスのネットワーク・インタフェース、
のうちの１つによって受信される、請求項１に記載の方法。
【請求項１３】
デバイスであって、
混合通信ネットワークに関連付けられたネットワーク鍵を格納するように構成されたメモリと、ここで、前記混合通信ネットワークは、第１のネットワーク通信プロトコルおよび第２のネットワーク通信プロトコルに関連付けられている、
前記第１のネットワーク通信プロトコルとともに用いられるための第１のプロトコル特有鍵を生成するように構成された鍵ジェネレータと、ここで、前記第１のプロトコル特有鍵は、前記第１のネットワーク通信プロトコルに対応する第１の識別子および前記ネットワーク鍵に少なくとも一部基づく、
前記第１のプロトコル特有鍵を用いて、前記第１ネットワーク通信プロトコルによって通信するように構成された第１の通信インタフェースと、
を備えるデバイス。
【請求項１４】
前記鍵ジェネレータはさらに、
前記第１の識別子および前記ネットワーク鍵を含む第１のハッシュ演算の結果を切り詰めること、
前記第１のハッシュ演算の結果の複製すること、または、
前記第１のハッシュ演算の結果をさらなる値と組み合わせること、
によって、前記第１のプロトコル特有鍵を生成するように構成された、請求項１３に記載のデバイス。
【請求項１５】
前記鍵ジェネレータはさらに、前記第１のプロトコル特有鍵が第１のハッシュ演算の結果の最下位ｎビットを備えるように、前記第１の識別子および前記ネットワーク鍵を含む前記第１のハッシュ演算の結果を切り詰めるように構成された、請求項１３に記載のデバイス。
【請求項１６】
前記鍵ジェネレータはさらに、前記混合通信ネットワークの第２のネットワーク通信プロトコルに関連付けられた第２のプロトコル特有鍵を生成するように構成され、
前記第２のプロトコル特有鍵は、前記第２のネットワーク通信プロトコルに対応する第２の識別子および前記ネットワーク鍵に少なくとも一部基づいて生成され、
前記デバイスはさらに、前記第２のプロトコル特有鍵を用いて、前記第２のネットワーク通信プロトコルによって、第３のデバイスと通信するように構成された第２の通信インタフェースを備え、
前記第１のプロトコル特有鍵は前記第２のプロトコル特有鍵と異なる、請求項１３に記載のデバイス。
【請求項１７】
前記メモリはさらに、複数のネットワーク通信プロトコルに対応する複数のプロトコル特有鍵を格納するように構成され、
前記複数のプロトコル特有鍵は、少なくとも、前記第１のプロトコル特有鍵および前記第２のプロトコル特有鍵を含む、請求項１６に記載のデバイス。
【請求項１８】
前記メモリはさらに、複数のネットワーク通信プロトコルに対応する識別子を格納するように構成され、
前記複数のネットワーク通信プロトコルは、少なくとも、前記第１のネットワーク通信プロトコルおよび前記第２のネットワーク通信プロトコルを含む、請求項１３に記載のデバイス。
【請求項１９】
前記混合通信ネットワークに関連付けられたネットワーク鍵を受信するように構成されたユーザ・インタフェース構成要素、をさらに備える請求項１３に記載のデバイス。
【請求項２０】
前記混合通信ネットワークに関連付けられたネットワーク鍵を検出するように構成されたセンサ、をさらに備える請求項１３に記載のデバイス。
【請求項２１】
前記第１の通信インタフェースとは異なる、第２の通信インタフェースをさらに備え、
前記第２の通信インタフェースは、前記混合通信ネットワークに関連付けられたネットワーク鍵を受信するように構成された、請求項１３に記載のデバイス。
【請求項２２】
前記デバイスは、前記混合通信ネットワークのアクセス・ポイントである、請求項１３に記載のデバイス。
【請求項２３】
プログラム命令群を格納する非一時的なコンピュータ読取可能な記憶媒体であって、
前記プログラム命令群は、第１のデバイスのプロセッサによって実行された場合、前記第１のデバイスに対して、
混合通信ネットワークに関連付けられたネットワーク鍵を受信することと、ここで、前記混合通信ネットワークは、第１のネットワーク通信プロトコルおよび第２のネットワーク通信プロトコルに関連付けられている、
前記混合通信ネットワークの第１のネットワーク通信プロトコルと用いられるための第１のプロトコル特有鍵を、前記第１のデバイスにおいて生成することと、ここで、前記第１のプロトコル特有鍵は、前記第１のネットワーク通信プロトコルに対応する第１の識別子および前記ネットワーク鍵に少なくとも一部基づく、
前記第１のプロトコル特有鍵を用いて、前記第１のネットワーク通信プロトコルで、前記混合通信ネットワークにおける第２のデバイスと通信することと
を実行させる、非一時的なコンピュータ読取可能な記憶媒体。
【請求項２４】
前記プログラム命令群は、前記第１のデバイスのプロセッサによって実行された場合、前記第１のデバイスに対してさらに、前記第１のプロトコル特有鍵が第１のハッシュ演算の結果の最下位ｎビットを備えるように、前記第１の識別子および前記ネットワーク鍵を含む前記第１のハッシュ演算の結果を切り詰めることを実行させる、請求項２３に記載の非一時的なコンピュータ読取可能な記憶媒体。
【請求項２５】
前記プログラム命令群は、前記第１のデバイスのプロセッサによって実行された場合、前記第１のデバイスに対してさらに、
前記混合通信ネットワークの第２のネットワーク通信プロトコルに関連付けられた第２のプロトコル特有鍵を生成することと、ここで、前記第２のプロトコル特有鍵は、前記第２のネットワーク通信プロトコルに対応する第２の識別子および前記ネットワーク鍵に少なくとも一部基づく、
前記第２のプロトコル特有鍵を用いて、前記第２のネットワーク通信プロトコルによって、第３のデバイスと通信することと、ここで、前記第１のプロトコル特有鍵は前記第２のプロトコル特有鍵と異なる、
を実行させる、請求項２３に記載の非一時的なコンピュータ読取可能な記憶媒体。
【請求項２６】
前記プログラム命令群は、前記第１のデバイスのプロセッサによって実行された場合、前記第１のデバイスに対してさらに、複数のネットワーク通信プロトコルに対応する複数のプロトコル特有鍵を格納することを実行させ、
前記複数のプロトコル特有鍵は、少なくとも、前記第１のプロトコル特有鍵および前記第２のプロトコル特有鍵を含む、請求項２５に記載の非一時的なコンピュータ読取可能な記憶媒体。
【請求項２７】
前記プログラム命令群は、前記第１のデバイスのプロセッサによって実行された場合、前記第１のデバイスに対してさらに、
前記混合通信ネットワークにおいて用いられる複数のネットワーク通信プロトコルに対応する識別子を格納することを実行させ、
前記複数のネットワーク通信プロトコルは、少なくとも、前記第１のネットワーク通信プロトコルおよび前記第２のネットワーク通信プロトコルを含む、請求項２３に記載の非一時的なコンピュータ読取可能な記憶媒体。